(57)【特許請求の範囲】
【請求項１】
勾配屋根の屋根面の上に設置される屋根用足場であって、
勾配屋根の屋根面の上に配置される足場本体を有し、
足場本体が配置された勾配屋根の上に設置されている雪止め部材に係合する雪止め引っ掛け部が足場本体に設けられてなり、
前記足場本体が勾配屋根の上に固定された太陽エネルギー収集パネルの上に載置され、
前記足場本体が載置された太陽エネルギー収集パネルの水上側を向く側面に係合するパネル引っ掛け部が足場本体に設けられ、
前記足場本体に設けられるパネル引っ掛け部が、太陽エネルギー収集パネルの水上側に向く側面に係合するように足場本体から突出する作業位置と、足場本体から突出しない収納位置とに切換え設定可能にされる屋根用足場。
【請求項２】
勾配屋根の屋根面の上に設置される屋根用足場であって、
勾配屋根の屋根面の上に配置される足場本体を有し、
足場本体が配置された勾配屋根の上に設置されている雪止め部材に係合する雪止め引っ掛け部が足場本体に設けられてなり、
前記足場本体が勾配屋根の上に固定された太陽エネルギー収集パネルの上に載置され、
前記足場本体が載置された太陽エネルギー収集パネルの水上側を向く側面に係合するパネル引っ掛け部が足場本体に設けられ、
前記足場本体の端部に、雪止め引っ掛け部とパネル引っ掛け部とが選択的に取着可能にされてなる屋根用足場。
【請求項３】
請求項１又は２に記載の屋根用足場の設置構造であって、
前記勾配屋根の勾配方向に複数段をなす太陽エネルギー収集パネルを並置し、少なくとも１個の太陽エネルギー収集パネルの上に屋根用足場が載置されてなり、
太陽エネルギー収集パネルはパネル本体と該パネル本体の対向する少なくとも２辺に設けられるフレームを有し、それらの２辺に設けられたフレームが勾配屋根の水上側と水下側に配置されて該勾配屋根の上に固定され、
屋根用足場の足場本体は太陽エネルギー収集パネルのパネル本体との間に隙間を介する状態で、そのフレームの上面に載置され、
屋根用足場の雪止め引っ掛け部が、水下側太陽エネルギー収集パネルの水上側のフレームと水上側太陽エネルギー収集パネルの水下側のフレームとの間隙部から上方に突出する雪止め部材に係合してなる屋根用足場の設置構造。
【請求項４】
請求項１又は２に記載の屋根用足場の設置構造であって、
前記勾配屋根の勾配方向に複数段をなす太陽エネルギー収集パネルを並置し、少なくとも１個の太陽エネルギー収集パネルの上に屋根用足場が載置されてなり、
太陽エネルギー収集パネルはパネル本体と該パネル本体の対向する少なくとも２辺に設けられるフレームを有し、それらの２辺に設けられたフレームが勾配屋根の水上側と水下側に配置されて該勾配屋根の上に固定され、
屋根用足場の足場本体は太陽エネルギー収集パネルのパネル本体との間に隙間を介する状態で、そのフレームの上面に載置され、
屋根用足場のパネル引っ掛け部が、水下側太陽エネルギー収集パネルの水上側のフレームと水上側太陽エネルギー収集パネルの水下側のフレームとの間隙部に差し込まれ、該水下側太陽エネルギー収集パネルの水上側のフレームの水上側を向く側面に係合してなる屋根用足場の設置構造。
【発明の詳細な説明】
【技術分野】
【０００１】
本発明は、勾配屋根の上に設置される屋根用足場及びその設置構造に係り、特に、太陽電池モジュール、太陽熱温水器等の太陽エネルギー収集パネルが固定された勾配屋根の上に設置される屋根用足場及びその設置構造に関する。
【背景技術】
【０００２】
従来、勾配屋根では、屋根自体のメンテナンスを行なうための屋根用足場が用いられる他、屋根の上に固定された太陽電池モジュール、太陽熱温水器等の太陽エネルギー収集パネルのメンテナンスを行なうための屋根用足場が用いられる。
【０００３】
特に、太陽エネルギー収集パネルでは、天候の変化、塵埃や飛来物の影響を受け、パネル本体における受光面の透明性を損なわせて発電出力等を低下したり、損傷や故障を生ずるおそれがあることから、清掃、修理等のメンテナンスが必要とされ、特許文献１に記載の如くの屋根用足場が提案されている。
【０００４】
このとき、太陽エネルギー収集パネルは、パネル本体と該パネル本体の対向する少なくとも２辺に設けられる左右のフレームを有する。そして、屋根用足場は、太陽エネルギー収集パネルのパネル本体に対向して配置される天面部と、天面部の左右両側で該天面部から垂下される左右の側部と、左右の側部の下端に配置されて太陽エネルギー収集パネルの左右のフレームの上に載置される左右の載置部と、左右の側部の下端に配置されて上記左右のフレームの側面に係合する左右の係合部とを備える。
【０００５】
これにより、屋根用足場は、勾配屋根に固定された太陽エネルギー収集パネルの左右のフレームの上に載置部を載置する状態で、左右の係合部を太陽エネルギー収集パネルの勾配方向に沿う左右のフレームの側面に係合し、太陽エネルギー収集パネルに対してパネル本体から上方に離れた位置に天面部を配置することができる。作業者は、太陽エネルギー収集パネルのパネル本体に影響を与えることなく、各種の作業を天面部の上で容易に、効率良く行なうことができる。
【先行技術文献】
【特許文献】
【０００６】
【特許文献１】特開2014-1560号公報
【発明の概要】
【発明が解決しようとする課題】
【０００７】
特許文献１に記載の屋根用足場は、太陽エネルギー収集パネルの左右のフレームが勾配屋根の上に左右の固定具により固定され、作業用足場がその太陽エネルギー収集パネルのフレームの上面に載置されて滑ったとき、左右の係合部が左右の固定具に係止してその滑落を阻止される。
【０００８】
しかしながら、特許文献１に記載の屋根用足場では、屋根用足場の上述の滑落を防ぐため、左右の係合部が勾配屋根の勾配方向に沿って配置されている太陽エネルギー収集パネルの左右のフレームの側面に係合するように設置されること、更には、左右の係合部が係止し得る左右の固定具が存在していることが必要とされる。従って、屋根用足場の設置作業性が悪いし、屋根用足場の設置構造が複雑になる。
【０００９】
本発明の課題は、屋根用足場の設置作業性を簡易にするとともに、設置構造を簡素にしながら、屋根用足場を勾配屋根の上に滑りなく安定的に設置することにある。
【００１０】
また、本発明の課題は、屋根用足場の設置作業性を簡易にするとともに、設置構造を簡素にしながら、屋根用足場を勾配屋根の上に固定された太陽エネルギー収集パネルの上に滑りなく安定的に設置することにある。
【課題を解決するための手段】
【００１１】
請求項１に係る発明は、勾配屋根の屋根面の上に設置される屋根用足場であって、勾配屋根の屋根面の上に配置される足場本体を有し、足場本体が配置された勾配屋根の上に設置されている雪止め部材に係合する雪止め引っ掛け部が足場本体に設けられてなり、前記足場本体が勾配屋根の上に固定された太陽エネルギー収集パネルの上に載置され、前記足場本体が載置された太陽エネルギー収集パネルの水上側を向く側面に係合するパネル引っ掛け部が足場本体に設けられ、前記足場本体に設けられるパネル引っ掛け部が、太陽エネルギー収集パネルの水上側に向く側面に係合するように足場本体から突出する作業位置と、足場本体から突出しない収納位置とに切換え設定可能にされるようにしたものである。
【００１２】
請求項２に係る発明は、勾配屋根の屋根面の上に設置される屋根用足場であって、勾配屋根の屋根面の上に配置される足場本体を有し、足場本体が配置された勾配屋根の上に設置されている雪止め部材に係合する雪止め引っ掛け部が足場本体に設けられてなり、前記足場本体が勾配屋根の上に固定された太陽エネルギー収集パネルの上に載置され、前記足場本体が載置された太陽エネルギー収集パネルの水上側を向く側面に係合するパネル引っ掛け部が足場本体に設けられ、前記足場本体の端部に、雪止め引っ掛け部とパネル引っ掛け部とが選択的に取着可能にされてなるようにしたものである。
【００１３】
請求項３に係る発明は、請求項１又は２に記載の屋根用足場の設置構造であって、前記勾配屋根の勾配方向に複数段をなす太陽エネルギー収集パネルを並置し、少なくとも１個の太陽エネルギー収集パネルの上に屋根用足場が載置されてなり、太陽エネルギー収集パネルはパネル本体と該パネル本体の対向する少なくとも２辺に設けられるフレームを有し、それらの２辺に設けられたフレームが勾配屋根の水上側と水下側に配置されて該勾配屋根の上に固定され、屋根用足場の足場本体は太陽エネルギー収集パネルのパネル本体との間に隙間を介する状態で、そのフレームの上面に載置され、屋根用足場の雪止め引っ掛け部が、水下側太陽エネルギー収集パネルの水上側のフレームと水上側太陽エネルギー収集パネルの水下側のフレームとの間隙部から上方に突出する雪止め部材に係合してなるようにしたものである。
【００１４】
請求項４に係る発明は、請求項１又は２に記載の屋根用足場の設置構造であって、前記勾配屋根の勾配方向に複数段をなす太陽エネルギー収集パネルを並置し、少なくとも１個の太陽エネルギー収集パネルの上に屋根用足場が載置されてなり、太陽エネルギー収集パネルはパネル本体と該パネル本体の対向する少なくとも２辺に設けられるフレームを有し、それらの２辺に設けられたフレームが勾配屋根の水上側と水下側に配置されて該勾配屋根の上に固定され、屋根用足場の足場本体は太陽エネルギー収集パネルのパネル本体との間に隙間を介する状態で、そのフレームの上面に載置され、屋根用足場のパネル引っ掛け部が、水下側太陽エネルギー収集パネルの水上側のフレームと水上側太陽エネルギー収集パネルの水下側のフレームとの間隙部に差し込まれ、該水下側太陽エネルギー収集パネルの水上側のフレームの水上側を向く側面に係合してなるようにしたものである。
【発明の効果】
【００１９】
（請求項１、２）
(a)屋根用足場は、足場本体に設けられた雪止め引っ掛け部を、該足場本体が配置された勾配屋根に設置されている雪止め部材に係合することで、勾配屋根の上における滑落を防ぐものになる。
【００２０】
足場本体に設けられた雪止め引っ掛け部が、雪止め部材だけに係合するように設置すれば足り、設置作業性は簡易である。
【００２１】
足場本体に設けられた雪止め引っ掛け部は、雪止め部材に係合して滑落阻止され、他の滑落防止用部材の存在を必要とせず、設置構造は簡素になる。
【００２３】
(b)勾配屋根の上に太陽エネルギー収集パネルが固定されていて、屋根用足場の足場本体が太陽エネルギー収集パネルの上に載置されるとき、足場本体に設けられた雪止め引っ掛け部が、勾配屋根の上に設置されていて太陽エネルギー収集パネルの水上側を向く側面の水上側から上方に突き出ている雪止め部材に係合し、勾配屋根の上における滑落を防ぐものになる。
【００２４】
(c)屋根用足場は、足場本体に設けられたパネル引っ掛け部を、該足場本体が載置された太陽エネルギー収集パネルの水上側を向く側面に係合することで、勾配屋根の上における滑落を防ぐものになる。
【００２５】
足場本体に設けられたパネル引っ掛け部が、太陽エネルギー収集パネルの水上側を向く側面だけに係合するように設置すれば足り、設置作業性は簡易である。
【００２６】
足場本体に設けられたパネル引っ掛け部は、太陽エネルギー収集パネルの水上側を向く側面に係合して滑落阻止され、他の滑落防止用部材の存在を必要とせず、設置構造は簡素になる。
【００２７】
(d)屋根用足場は、足場本体の一端部に雪止め引っ掛け部が形成されるとともに、足場本体の他端部にパネル引っ掛け部が形成される。これにより、単一の屋根用足場を下記i.又はii.に使い分けできる。
【００２８】
i.足場本体が載置される太陽エネルギー収集パネルの水上側を向く側面の水上側に、上方に突き出る雪止め部材が設置されているとき。
【００２９】
図１２（Ａ）の水上側と水下側に設置された２個の屋根用足場、及び図１２（Ｂ）の水上側に設置された１個の屋根用足場における如く、足場本体の一端部に設けられた雪止め引っ掛け部が上述の雪止め部材に係合される。
【００３０】
ii.足場本体が載置される太陽エネルギー収集パネルの水上側を向く側面の水上側に、上方に突き出る雪止め部材が設置されていないとき。
【００３１】
図１２（Ｂ）の水下側に設置された１個の屋根用足場、及び図１２（Ｃ）の水上側と水下側に設置された２個の屋根用足場における如く、足場本体の他端部に設けられたパネル引っ掛け部が、太陽エネルギー収集パネルの水上側を向く側面に係合される。
【００３２】
（請求項１）
(e)パネル引っ掛け部が、足場本体の他端部への配設時に、太陽エネルギー収集パネルの水上側に向く側面に係合するように足場本体から突出する作業位置と、足場本体から突出しない収納位置とに切換え設定可能にされる。これにより、屋根用足場は、雪止め引っ掛け部を使用して滑落を防止するとき、パネル引っ掛け部を収納位置に設定することにより、パネル引っ掛け部が足場本体から突出することによる太陽エネルギー収集パネルのキズ付きを防止する。また、パネル引っ掛け部を収納位置に設定することにより、パネル引っ掛け部が足場本体から突出しないので、足場の輸送や保管に際して取扱い易い。
【００３３】
（請求項２）
(f)屋根用足場は、足場本体の端部に、雪止め引っ掛け部とパネル引っ掛け部とが選択的に取着可能にされても良い。
【００３４】
足場本体が載置される太陽エネルギー収集パネルの水上側を向く側面の水上側に、上方に突き出る雪止め部材が設置されているときには、足場本体の端部に雪止め引っ掛け部を取着し、この雪止め引っ掛け部が上述の雪止め部材に係合される。
【００３５】
足場本体が載置される太陽エネルギー収集パネルの水上側を向く側面の水上側に、上方に突き出る雪止め部材が設置されてないときには、足場本体の端部にパネル引っ掛け部を取着し、このパネル引っ掛け部が太陽エネルギー収集パネルの水上側を向く側面に係合される。
【００３６】
（請求項３）
(g)屋根用足場の雪止め引っ掛け部が、水下側太陽エネルギー収集パネルの水上側のフレームと水上側太陽エネルギー収集パネルの水下側のフレームとの間隙部から上方に突出する雪止め部材に係合するように設けられる。これにより、屋根用足場を、勾配屋根の上に固定された複数の太陽エネルギー収集パネルの上に安定的かつ整然と載置できる。
【００３７】
（請求項４）
(h)屋根用足場のパネル引っ掛け部が、水下側太陽エネルギー収集パネルの水上側のフレームと水上側太陽エネルギー収集パネルの水下側のフレームとの間隙部に差し込まれ、該水下側太陽エネルギー収集パネルの水上側のフレームの水上側を向く側面に係合するように設けられる。これにより、屋根用足場を、勾配屋根の上に固定された複数の太陽エネルギー収集パネルの上に安定的かつ整然と載置できる。
【図面の簡単な説明】
【００３８】
【図１】図１は勾配屋根の上に並置された複数の太陽エネルギー収集パネルを示す模式図である。
【図２】図２は屋根用足場を示す斜視図である。
【図３】図３は屋根用足場を示す平面図である。
【図４】図４は屋根用足場を示す側面図である。
【図５】図５は屋根用足場を示す正面図である。
【図６】図６は図３のVI-VI線に沿う断面図である。
【図７】図７は図４のVII部拡大図である。
【図８】図８は雪止め引っ掛け部の係合状態を示し、（Ａ）は側面図、（Ｂ）は斜視図である。
【図９】図９はパネル引っ掛け部の収納位置設定状態を示す模式図である。
【図１０】図１０はパネル引っ掛け部の作業位置設定状態を示す模式図である。
【図１１】図１１はパネル引っ掛け部の係合状態を示す断面図である。
【図１２】図１２は屋根用足場の設置モードを示す模式図である。
【発明を実施するための形態】
【００３９】
屋根用足場１０は、図１に示す如く、ユニット建物等の建物１００の勾配屋根１０１の上に固定された太陽電池モジュールである太陽エネルギー収集パネル２００の上に設置される。本実施例において、太陽エネルギー収集パネル２００は、勾配屋根１０１の勾配方向（上下方向）に複数段、本実施例では上下５段をなして並置され、勾配屋根１０１の勾配方向に直交する方向（左右方向）に複数列、本実施例では左右５列をなして並置され、結果として、全２５個の太陽エネルギー収集パネル２００が勾配屋根１０１の上に固定されている。
【００４０】
太陽エネルギー収集パネル２００は、平面視で矩形状とされるパネル本体２０１と、パネル本体２０１の外周の対向する少なくとも上下２辺、本実施例では全周の左右上下４辺に固定化されたフレーム２０２を有する。
【００４１】
太陽エネルギー収集パネル２００は、不図示の固定具により勾配屋根１０１の上に固定される。本実施例において、太陽エネルギー収集パネル２００は、図８、図１１に示す如く、勾配屋根１０１の勾配方向の水上側と水下側に位置することとなる水上側フレーム２０２Ｕと水下側フレーム２０２Ｄのそれぞれが、不図示の固定具を介して勾配屋根１０１の水上側と水下側に配置され、勾配屋根１０１の上に固定される。太陽エネルギー収集パネル２００は、不図示の固定具により勾配屋根１０１の上に固定されたとき、勾配屋根１０１の上面との間に一定の間隔を介する。
【００４２】
屋根用足場１０は、図２〜図７に示す如く、足場本体２０と雪止め引っ掛け部３０とパネル引っ掛け部４０とを有する。足場本体２０は、太陽エネルギー収集パネル２００のパネル本体２０１の上面２０１Ｅとの間に後述する隙間Ｇを介する状態で、そのフレーム２０２の上面２０２Ｅに載置される。
【００４３】
雪止め引っ掛け部３０は、足場本体２０の一端部に設けられ、該足場本体２０が載置された太陽エネルギー収集パネル２００の水上側フレーム２０２Ｕの水上側を向く側面２０２Ｆの水上側から上方に突き出る雪止め部材３００（水上側を向く側面３０２Ｆ）に、水上側から係合する（図８）。
【００４４】
尚、雪止め部材３００は、例えば水平片３０１と垂直片３０２を有するＬ形断面のアルミ型材からなり、水平片３０１を勾配屋根１０１の上（太陽エネルギー収集パネル２００のための前述した固定具に干渉しない位置）に固定され、垂直片３０２の上端部を太陽エネルギー収集パネル２００におけるフレーム２０２の上面２０１Ｅより上方に突き出し、太陽エネルギー収集パネル２００の上面（パネル本体２０１の上面２０２Ｅ、フレーム２０２の上面２０２Ｅ）における積雪の滑落を阻止する。
【００４５】
パネル引っ掛け部４０は、足場本体２０の他端部に設けられ、該足場本体２０が載置された太陽エネルギー収集パネル２００の水上側フレーム２０２Ｕの水上側を向く側面２０２Ｆに、水上側から係合する（図１１）。
【００４６】
本実施例では、勾配屋根１０１の勾配方向に直交する方向において左右５列をなして並置されている各列で、勾配屋根１０１の勾配方向において上下５段をなして並置されている５個の太陽エネルギー収集パネル２００のそれぞれに対し、各１個の屋根用足場１０が設置される。作業者は、左右５列をなして並置されている太陽エネルギー収集パネル２００の各列で、はしごを用いて勾配屋根１０１の軒先から最下段である１段目の太陽エネルギー収集パネル２００の上に１段目となる屋根用足場１０を設置し、１段目の屋根用足場１０の上に乗って２段目の太陽エネルギー収集パネル２００の上に２段目となる屋根用足場１０を設置し、この繰り返しによって上下５段をなす全ての太陽エネルギー収集パネル２００の上に各屋根用足場１０を設置する。
【００４７】
複数の屋根用足場１０を、上述の如くに、勾配屋根１０１の勾配方向の水上側と水下側に配置されて該勾配屋根１０１の上に固定されている太陽エネルギー収集パネル２００の上に並置するとき、水下側に設置される屋根用足場１０は勾配屋根１０１の上における雪止め部材３００の有無に応じて、雪止め引っ掛け部３０とパネル引っ掛け部４０を下記i.又はii.の如くに選択使用される。
【００４８】
i.屋根用足場１０の雪止め引っ掛け部３０は、図８に示す如く、水下側の太陽エネルギー収集パネル２００Ｌの水上側フレーム２０２Ｕと水上側の太陽エネルギー収集パネル２００Ｈの水下側フレーム２０２Ｄとの間隙部Ｋから上方に突出する雪止め部材３００（水上側を向く側面３０２Ｆ）に水上側から係合する。
【００４９】
ii.屋根用足場１０のパネル引っ掛け部４０は、図１１に示す如く、水下側の太陽エネルギー収集パネル２００Ｌの水上側フレーム２０２Ｕと水上側の太陽エネルギー収集パネル２００Ｈの水下側フレーム２０２Ｄとの間隙部Ｋに差し込まれ、該水下側の太陽エネルギー収集パネル２００Ｌの水上側フレーム２０２Ｕの水上側を向く側面２０２Ｆに水上側から係合する。
【００５０】
以下、屋根用足場１０の詳細な構成について説明する（図２〜図１１）。
（足場本体２０の構造）
屋根用足場１０の足場本体２０は、太陽エネルギー収集パネル２００と概ね同一長をなす２個のコ型断面のアルミ型材からなる縦材２１のコ型凹部２１Ａを向い合せて配置され、両縦材２１、２１の長手方向の一端部に雪止め引っ掛け部３０が設けられるとともに、両縦材２１、２１の長手方向の他端部にパネル引っ掛け部４０が設けられる。
【００５１】
足場本体２０は、各縦材２１、２１の中間部の複数位置のそれぞれに溶接されるリップ付アルミＣ型アングルからなる平坦状踏板２３の左右のリップ付Ｃ型端部を、各縦材２１のコ型凹部２１Ａに差し込み、縦材２１のコ型凹部２１Ａへの差し込み部で該縦材２１に溶接して構成される。両縦材２１、２１の中間部で平坦状踏板２３が接合されない複数位置の上面それぞれに、アルミ等辺アングルからなる山形踏板２４の左右の山型端部が溶接される。山形踏板２４は、二等辺アングルの山型断面の両端部を各縦材２１の中間部の上面に載せて溶接され、両縦材２１、２１の上面から山型をなすように突出する（図２、図４）。
【００５２】
足場本体２０は、両縦材２１、２１の両端部のそれぞれに雪止め引っ掛け部３０とパネル引っ掛け部４０のそれぞれを接合した四角枠内の平面視で、相隣る雪止め引っ掛け部３０又はパネル引っ掛け部４０と平坦状踏板２３の間、相隣る平坦状踏板２３と平坦状踏板２３の間、相隣る平坦状踏板２３と山形踏板２４の間のそれぞれに、上下に貫通する開口Ｆを設けている（図２、図３）。開口Ｆは足場本体２０に作用する突風等の風の吹き上げ力を逃がすものである。
【００５３】
（雪止め引っ掛け部３０の構造）
屋根用足場１０の雪止め引っ掛け部３０は、足場本体２０を構成する両縦材２１、２１の一端部に設けられる。本実施例の雪止め引っ掛け部３０は、図２〜図４、図６に示す如く、アルミ四角パイプからなる横桟３１の左右の端部を各縦材２１のコ型凹部２１Ａに差し込み、縦材２１のコ型凹部２１Ａへの差し込み部で該縦材２１に溶接される。
【００５４】
そして、雪止め引っ掛け部３０は、両縦材２１、２１のコ型凹部２１Ａに差し込まれて溶接された横桟３１の上向き側面にアルミＬ型プレートからなる引っ掛け板３２の水平片３２Ａを溶接され、引っ掛け板３２の垂直片３２Ｂを上記横桟３１の前向き側面に対して隙間Ｃを介して平行に垂下させて構成される。Ｃは雪止め部材３００における垂直片３０２の板厚より大きくされる。
【００５５】
更に、雪止め引っ掛け部３０は、横桟３１の長手方向の中央部で、該横桟３１の水下側面に形成された雌ねじ部３１Ｂに螺着される飛散防止ボルト３３（外れ防止手段）を有し、飛散防止ボルト３３の先端部を該横桟３１の水上側面に穿設された孔３１Ａから引っ掛け板３２の垂直片３２Ｂに向けて突き出し、該垂直片３２Ｂとの間に雪止め部材３００の垂直片３０２を挟持する。これにより、飛散防止ボルト３３は、雪止め引っ掛け部３０が雪止め部材３００に係合している状態での該雪止め引っ掛け部３０のずれを規制する。本実施例の飛散防止ボルト３３は、蝶ボルトからなり、基端部に備える蝶型操作部３３Ａを横桟３１と平坦状踏板２３の間の空間に配置し、足場本体２０の開口Ｆから螺動操作可能にされる。
【００５６】
尚、雪止め引っ掛け部３０は、足場本体２０が両縦材２１、２１の一端部の下面に設けた緩衝材３４を介して太陽エネルギー収集パネル２００のフレーム２０２の上面に載置される。緩衝材３４は、本実施例では、例えばゴム板からなり、各縦材２１の下面に接着される。緩衝材３４が、太陽エネルギー収集パネル２００のフレーム２０２の上面２０２Ｅとの接触による太陽エネルギー収集パネル２００のキズ付きを防止する。このとき、足場本体２０の側面視で、雪止め引っ掛け部３０における引っ掛け板３２（垂直片３２Ｂ）の下端部は、緩衝材３４の下面レベルより上位に設定される（図８（Ａ））。
【００５７】
これにより、屋根用足場１０は、図８に示す如く、足場本体２０の一端部に設けた雪止め引っ掛け部３０における横桟３１の前側側面と引っ掛け板３２の垂直片３２Ｂとの隙間Ｃを、水下側の太陽エネルギー収集パネル２００Ｌの水上側フレーム２０２Ｕと水上側の太陽エネルギー収集パネル２００Ｈの水下側フレーム２０２Ｄとの間隙部Ｋから上方に突出する雪止め部材３００の垂直片３０２に上方から嵌め込む。雪止め引っ掛け部３０の引っ掛け板３２が雪止め部材３００（水上側を向く側面３０２Ｆ）に水上側から係合し得るものになる。この状態で飛散防止ボルト３３を螺動することにより、飛散防止ボルト３３の先端部と引っ掛け板３２の垂直片３２Ｂとの間に雪止め部材３００の垂直片３０２を締め上げることにより、雪止め引っ掛け部３０を雪止め部材３００（水上側を向く側面３０２Ｆ）に固定的に係合するものになる。
【００５８】
（パネル引っ掛け部４０の構造）
屋根用足場１０のパネル引っ掛け部４０は、足場本体２０を構成する両縦材２１、２２の他端部に設けられる。本実施例のパネル引っ掛け部４０は、図２〜図４、図７に示す如く、アルミ四角パイプからなる横桟４１と、横桟４１の左右の端部の中空部に挿填されて溶接され、該中空部を塞ぐアルミ製端板４２とを有し、端板４２の中心部にねじ孔４２Ａを備える。更に、パネル引っ掛け部４０は、横桟４１の四角パイプの１つの側面にアルミＬ型プレートの一片を溶接し、このアルミＬ型プレートの他片からなる引っ掛け板４３を該横桟４１の四角パイプの該１つの側面に直交する方向に突き出すように延在させている。
【００５９】
パネル引っ掛け部４０は、図９、図１０に示す如く、横桟４１の左右の端部を両縦材２１、２１の各コ型凹部２１Ａに差し込む。そして、両縦材２１の相対する側面に設けたボルト挿通孔２１Ｂに外側から挿通した固定ボルト４４の先端部を横桟４１の左右の端部に設けてある端板４２のねじ孔４２Ａに締め込み、パネル引っ掛け部４０を足場本体２０の他端部に固定的に配設可能にする。本実施例の固定ボルト４４は蝶ボルトからなる。
【００６０】
パネル引っ掛け部４０は、足場本体２０の他端部への上述の配設時に、横桟４１の左右の端部を各縦材２１のコ型凹部２１Ａに差し込むときの該横桟４１の中心軸まわりの回転角度位置を変更できる。パネル引っ掛け部４０が横桟４１の回転角度位置の設定により、図９に示す如く、引っ掛け板４３を足場本体２０内で隣接する平坦状踏板２３の上面に載せることにより、パネル引っ掛け部４０は太陽エネルギー収集パネル２００におけるフレーム２０２の水上側を向く側面２０２Ｆに係合しない収納位置に設定される。他方、横桟４１の左右を反転し、更に横桟４１の回転角度位置を変更（90度回転）し、図１０に示す如く、パネル引っ掛け部４０の引っ掛け板４３の下端部を足場本体２０の他端部の最先端で横桟４１の下面より下方に突出させることにより、パネル引っ掛け部４０は太陽エネルギー収集パネル２００のフレーム２０２の水上側を向く側面２０２Ｆに係合し得る作業位置に設定される。
【００６１】
尚、屋根用足場１０は、足場本体２０が両縦材２１、２１の他端部の下面に設けた緩衝材４５を介して太陽エネルギー収集パネル２００のフレーム２０２の上面に載置される。緩衝材４５は、本実施例では、例えばゴム板からなり、各縦材２１の下面に接着される。緩衝材４５が、太陽エネルギー収集パネル２００のフレーム２０２の上面２０２Ｅとの接触による太陽エネルギー収集パネル２００のキズ付きを防止する。
【００６２】
これにより、屋根用足場１０は、図１１に示す如く、足場本体２０の一端部に設けたパネル引っ掛け部４０を作業位置に設定し、パネル引っ掛け部４０における引っ掛け板４３の下端部を水下側の太陽エネルギー収集パネル２００Ｌの水上側フレーム２０２Ｕと水上側の太陽エネルギー収集パネル２００Ｈの水下側フレーム２０２Ｄとの間隙部Ｋに差し込み、該水下側の太陽エネルギー収集パネル２００Ｌの水上側フレーム２０２Ｕの水上側を向く側面２０２Ｆに水上側から係合するものになる。
【００６３】
ここで、屋根用足場１０が太陽エネルギー収集パネル２００におけるフレーム２０２の上面２０２Ｅに設置されたとき、屋根用足場１０における足場本体２０の縦材２１と太陽エネルギー収集パネル２００のパネル本体２０１の上面２０１Ｅとの間には、図８、図１１に示す如く、フレーム２０２の上面２０２Ｅがパネル本体２０１の上面２０１Ｅとの間になす段差、緩衝材３４、４５の板厚の合計寸法からなる隙間Ｇが形成され、パネル本体２０１を保護する。
【００６４】
尚、屋根用足場１０は、図２、図３に示す如く、足場本体２０にスチールワイヤ、プラスチックワイヤ等の索状つなぎ材６０によりつながれた飛散防止金具５０を有する。飛散防止金具５０は、把持部５１と板状頭部５２とが軸状首部５３により連結されて構成される。これにより、飛散防止金具５０は、勾配屋根１０１の勾配方向で相隣る水下側太陽エネルギー収集パネル２００Ｌの水上側フレーム２０２Ｕ（棟側端部）と水上側太陽エネルギー収集パネル２００Ｈの水下側フレーム２０２Ｄ（軒側端部）の間隙部Ｋ（前述の引っ掛け部４０が差し込まれていない位置の間隙部Ｋ）に着脱自在にされる。そして、飛散防止金具５０は、図１１（Ｂ）に示す如く、間隙部Ｋの上部に把持部５１を位置し、間隙部Ｋに軸状首部５３を位置し、間隙部Ｋの下部に板状頭部５２を位置した状態で、把持部５１に加える回転操作により回動される把持部５１と板状頭部５２によって水下側太陽エネルギー収集パネル２００Ｌの水上側フレーム２０２Ｕと水上側太陽エネルギー収集パネル２００Ｈの水下側フレーム２０２Ｄを上下から挟み、それらの相隣る太陽エネルギー収集パネル２００Ｌ、２００Ｈに係止される。
【００６５】
従って、本実施例によれば、以下の作用効果がある。
(a)勾配屋根１０１の上に太陽エネルギー収集パネル２００が固定されていて、屋根用足場１０の足場本体２０が太陽エネルギー収集パネル２００の上に載置されるとき、足場本体２０に設けられた雪止め引っ掛け部３０が、勾配屋根１０１の上に設置されていて太陽エネルギー収集パネル２００の水上側フレーム２０２Ｕの水上側を向く側面２０２Ｆの水上側から上方に突き出ている雪止め部材３００（水上側を向く側面３０２Ｆ）に係合し、勾配屋根１０１の上における滑落を防ぐものになる。
【００６６】
足場本体２０に設けられた雪止め引っ掛け部３０が、雪止め部材３００（水上側を向く側面３０２Ｆ）だけに係合するように設置すれば足り、設置作業性は簡易である。
【００６７】
足場本体２０に設けられた雪止め引っ掛け部３０は、雪止め部材３００（水上側を向く側面３０２Ｆ）に係合して滑落阻止され、他の滑落防止用部材の存在を必要とせず、設置構造は簡素になる。
【００６８】
(b)屋根用足場１０は、雪止め引っ掛け部３０が飛散防止ボルト３３等の外れ防止手段により雪止め部材３００に外れることなく係合し、突風等の風力によって吹き飛ばされて周辺に飛散することがない。
【００６９】
(c)屋根用足場１０は、足場本体２０に設けられたパネル引っ掛け部４０を、該足場本体２０が載置された太陽エネルギー収集パネル２００の水上側フレーム２０２Ｕの水上側を向く側面２０２Ｆに係合することで、勾配屋根１０１の上における滑落を防ぐものになる。
【００７０】
足場本体２０に設けられたパネル引っ掛け部４０が、太陽エネルギー収集パネル２００の水上側フレーム２０２Ｕの水上側を向く側面２０２Ｆだけに係合するように設置すれば足り、設置作業性は簡易である。
【００７１】
足場本体２０に設けられたパネル引っ掛け部４０は、太陽エネルギー収集パネル２００の水上側フレーム２０２Ｕの水上側を向く側面２０２Ｆに係合して滑落阻止され、他の滑落防止用部材の存在を必要とせず、設置構造は簡素になる。
【００７２】
(d)ここで、屋根用足場１０は、足場本体２０の一端部に雪止め引っ掛け部３０が形成されるとともに、足場本体２０の他端部にパネル引っ掛け部４０が形成される。そして、パネル引っ掛け部４０は、太陽エネルギー収集パネル２００の水上側に向く側面２０２Ｆに係合するように足場本体２０から突出する作業位置と、足場本体２０から突出しない収納位置とに切換え設定可能にされる。これにより、単一の屋根用足場を下記i.又はii.に使い分けできる（図１２）。尚、図１２において、４０Ｆは収納位置に設定されたパネル引っ掛け部４０を示す。
【００７３】
i.足場本体２０が載置される太陽エネルギー収集パネル２００の水上側フレーム２０２Ｕの水上側を向く側面２０２Ｆの水上側から上方に突き出る雪止め部材３００が設置されているとき。
【００７４】
図１２（Ａ）の水上側と水下側に設置された２個の屋根用足場１０、及び図１２（Ｂ）の水上側に設置された１個の屋根用足場１０における如く、足場本体２０の一端部に設けられた雪止め引っ掛け部３０が上述の雪止め部材３００（水上側を向く側面３０２Ｆ）に係合される。このとき、足場本体２０の他端部に設けられたパネル引っ掛け部４０は収納位置に設定され、太陽エネルギー収集パネル２００の水下側のフレームの上に載置される。
【００７５】
ii.足場本体２０が載置される太陽エネルギー収集パネル２００の水上側フレーム２０２Ｕの水上側を向く側面２０２Ｆの水上側から上方に突き出る雪止め部材３００が設置されていないとき。
【００７６】
図１２（Ｂ）の水下側に設置された１個の屋根用足場１０、及び図１２（Ｃ）の水上側と水下側に設置された２個の屋根用足場１０における如く、足場本体２０の他端部に設けられたパネル引っ掛け部４０が作業位置に設定され、太陽エネルギー収集パネル２００の水上側フレーム２０２Ｕの水上側を向く側面２０２Ｆに係合される。このとき、足場本体２０の一端部に設けられた雪止め引っ掛け部３０は太陽エネルギー収集パネル２００の水下側のフレームの上に位置付けられる。
【００７７】
また、屋根用足場１０は、雪止め引っ掛け部３０を使用して滑落を防止するとき、パネル引っ掛け部４０を収納位置に設定することにより、パネル引っ掛け部４０が足場本体２０から突出することによる太陽エネルギー収集パネル２００のキズ付きを防止する。また、パネル引っ掛け部４０を収納位置に設定することにより、パネル引っ掛け部４０が足場本体２０から突出しないので、足場の輸送や保管に際して取扱い易い。
【００７８】
(e)上述(d)のi.により、水下側に設置される屋根用足場１０の雪止め引っ掛け部３０が、水下側の太陽エネルギー収集パネル２００Ｌの水上側フレーム２０２Ｕと水上側の太陽エネルギー収集パネル２００Ｈの水下側フレーム２０２Ｄとの間隙部Ｋから上方に突出する雪止め部材３００（水上側を向く側面３０２Ｆ）に係合するように設けられる。これにより、屋根用足場１０を、勾配屋根１０１の上に固定された複数の太陽エネルギー収集パネル２００の上に安定的かつ整然と載置できる。
【００７９】
(f)上述(d)のii.により、水下側に設置される屋根用足場１０のパネル引っ掛け部４０が、水下側の太陽エネルギー収集パネル２００Ｌの水上側フレーム２０２Ｕと水上側の太陽エネルギー収集パネル２００Ｈの水下側フレーム２０２Ｄとの間隙部Ｋに差し込まれ、該水下側の太陽エネルギー収集パネル２００Ｌの水上側フレーム２０２Ｕの水上側を向く側面２０２Ｆに係合するように設けられる。これにより、屋根用足場１０を、勾配屋根１０１の上に固定された複数の太陽エネルギー収集パネル２００の上に安定的かつ整然と載置できる。
【００８０】
尚、屋根用足場は、足場本体の端部に、雪止め引っ掛け部とパネル引っ掛け部とが選択的に取着され、下記(1)又は(2)の如くに使用されるものであっても良い。
【００８１】
(1)足場本体が載置される太陽エネルギー収集パネルの水上側を向く側面の水上側から上方に突き出る雪止め部材が設置されているときには、足場本体の端部に雪止め引っ掛け部を取着し、この雪止め引っ掛け部が上述の雪止め部材に係合される。
【００８２】
(2)足場本体が載置される太陽エネルギー収集パネルの水上側を向く側面の水上側から上方に突き出る雪止め部材が設置されてないときには、足場本体の端部にパネル引っ掛け部を取着し、このパネル引っ掛け部が太陽エネルギー収集パネルの水上側を向く側面に係合される。
【００８３】
以上、本発明の実施例を図面により詳述したが、本発明の具体的な構成はこの実施例に限られるものではなく、本発明の要旨を逸脱しない範囲の設計の変更等があっても本発明に含まれる。例えば、本発明の屋根用足場を構成する雪止め引っ掛け部とパネル引っ掛け部は足場本体に一体成形されて設けられていても良い。
【００８４】
また、本発明の屋根用足場を構成する雪止め引っ掛け部とパネル引っ掛け部は、太陽エネルギー収集パネルの上に載置された屋根用足場の必ずしも水上側に設けられるものでなく、水下側に設けられても良い。
【００８５】
また、本発明の屋根用足場が設置される太陽エネルギー収集パネルは、太陽熱温水器等であっても良い。
【００８６】
また、本発明の雪止め引っ掛け部を有してなる屋根用足場は、雪止め部材が設置された勾配屋根であれば、太陽エネルギー収集パネルが固定されていない勾配屋根においても使用できる。
【産業上の利用可能性】
【００８７】
本発明によれば、屋根用足場の設置作業性を簡易にするとともに、設置構造を簡素にしながら、屋根用足場を勾配屋根の上に滑りなく安定的に設置することができる。
【００８８】
また、本発明によれば、屋根用足場の設置作業性を簡易にするとともに、設置構造を簡素にしながら、屋根用足場を勾配屋根の上に固定された太陽エネルギー収集パネルの上に滑りなく安定的に設置することができる。
【符号の説明】
【００８９】
１０  屋根用足場
２０  足場本体
３０  雪止め引っ掛け部
４０  パネル引っ掛け部
１０１  勾配屋根
２００  太陽エネルギー収集パネル
２００Ｌ  水下側太陽エネルギー収集パネル
２００Ｕ  水上側太陽エネルギー収集パネル
２０１  パネル本体
２０１Ｅ  上面
２０２  フレーム
２０２Ｄ  水下側フレーム
２０２Ｕ  水上側フレーム
２０２Ｅ  上面
２０２Ｆ  側面
３００  雪止め部材
３０２Ｆ  側面
【図１】
0006514517.tif 000002
【図２】
0006514517.tif 000003
【図３】
0006514517.tif 000004
【図４】
0006514517.tif 000005
【図５】
0006514517.tif 000006
【図６】
0006514517.tif 000007
【図７】
0006514517.tif 000008
【図８】
0006514517.tif 000009
【図９】
0006514517.tif 000010
【図１０】
0006514517.tif 000011
【図１１】
0006514517.tif 000012
【図１２】
0006514517.tif 000013